(57)【要約】  【課題】  摩耗等により規制部材が完全な動作ができなくなっても、物品が容器本体から連続して飛出すことのない物品取出容器を提供する。  【解決手段】  容器本体３の上部に開口する物品取出口１７に開閉自在に設けられた取出口蓋９と、容器本体３内の空間部を仕切って片方に物品収容部４８を形成すると共に、底部に物品Ｘが１個づつ通過する連通口４６が形成された仕切板２３と、物品収容部４８内に設けられ、物品Ｘを整列して連通口４６に移送させる物品整列手段Ａと、連通口４６の先端に形成され、物品後方の動きを規制する段差部４４ａ、４４ｂと、連通口４６の出口に開閉自在に配置され、物品Ｘを段差部４４ａ、４４ｂに押し当てて位置決めする規制板２３と、取出口蓋９の裏側に設けられ、取出口蓋９の蓋閉じ動作時に規制板２３により段差部４４ａ、４４ｂで位置決めされた物品Ｘを狭持し、蓋開き動作時に狭持した物品Ｘを持上げる物品取出手段２０とを備えた。【選択図】        図４ 
2005035603.tif 000002
【特許請求の範囲】
【請求項１】
容器本体内に物品を収容し、該容器本体に設けられた蓋の開き動作によって物品を１個づつ取り出せるようにした物品取出容器であって、
前記容器本体に設けた物品取出口を開閉自在に覆う取出口蓋と、
前記容器本体内を仕切って一方に物品を収容する物品収容部を形成し、他方に物品を取り出す物品取出部を形成する仕切部材と、
前記物品収容部内の底部に設けられ、収容した物品を一列に配列させるガイド部と当該ガイド部の先端において前記物品取出部と連通する連通口を有した物品整列手段と、
前記連通口を介して物品取出部に移動した物品の後退を防止し、当該物品を一時的に留まらせる物品停止部と、
前記物品を挟持するための一対の挟持部材を有し、前記取出口蓋の開閉動作に伴って前記物品停止部に位置している物品を挟持して取り出す物品取出手段と
前記物品停止部に位置する物品の姿勢を保持しつつ前記物品取出手段の動作に伴って回動する規制部材とを備えたことを特徴とする物品取出容器。
【請求項２】
前記連通口の直前位置における前記ガイド部上方には、当該ガイド部の上面を塞ぐとともに物品収容部内の他の物品を受け止め、ガイド部に対する物品の侵入を防止する受け板が設けられていることを特徴とする請求項１記載の物品取出容器。
【請求項３】
前記物品停止部は、連通口を通過した物品を下方に降下させた位置に設けられており、前記物品が降下する段差部によって物品の後退を防止するようになっていることを特徴とする請求項１又は２記載の物品取出容器。
【請求項４】
前記規制部材は、弾性を有する一対の保持部材を端部に有し、当該保持部材によって物品の姿勢を保持するようになっていることを特徴とする請求項１乃至３のいずれか１項に記載の物品取出容器。
【発明の詳細な説明】
【技術分野】
【０００１】
本願発明は、菓子、健康食品等の錠剤形状の物品を収容し、蓋開き動作により収容した物品を１個づつ取り出せるようにした物品取出容器に関する。
【背景技術】
【０００２】
従来、この種の物品取出容器として、扁平な略長方形の容器本体に、菓子等の複数の物品を収容する物品収容部を設け、この容器本体の一端部に物品を外部に取り出すための開口部を設け、この開口部に回動自在に蓋体を設け、蓋体の開き動作に伴って物品取出部に位置する物品を取り出すようにした物品取出容器が開示されている（例えば、特許文献１参照）。
【０００３】
上記物品取出容器は、蓋体が容器に対して回動自在に軸支され、これと同軸に容器内部に設けられた規制部材が軸支され、両者は摺接しながら回動するようになっている。規制部材は、物品を所定位置に保持する溝を有した部材であって、その端面が多数の物品を収容した収容部と連通する開口を開閉自在に塞ぎ、物品の進入を規制する部材となっている。また、蓋体の開閉と連動して回動し、蓋体が閉じている場合には規制部材の端面が下方に下がって物品を１個だけ溝内に進入させて保持し、蓋体が開くとともに端面が上昇して開口を塞ぎ、物品の進入を防止するようになっている。蓋体が閉じた状態では物品取出手段の狭持片が物品を狭持した状態となっているので、蓋体を開くと同時に規制部材の溝内に保持された物品が取り出され、同時に収容部と連通する開口を塞ぎ物品収容部にある他の物品が流れ出でない構造となっている。
【特許文献１】特開２００３−１３７３６６号
【発明の開示】
【発明が解決しようとする課題】
【０００４】
上記の従来技術では、容器本体の一端部に物品取出口が開口された構造であり、蓋体が開放されたときに、規制部材が確実に物品を止める動作をしないと物品が物品取出口から連続して飛び出してしまうおそれがある。すなわち、この規制部材は、蓋体の回動軸部における蓋体との摺接摩擦力によって回動する構造であるため、部材間が摩耗した場合や部材が設計寸法通りに形成されていない場合等には蓋体と規制部材の摺接摩擦力が働かなくなり、蓋体が開いても規制部材が動作せず、物品が連続的に流出し次々に容器本体から飛び出してしまうおそれがあった。
【０００５】
本発明は、上記の点に鑑みなれたものであって、摩耗や部品精度の問題等により物品の規制部材が完全な動作ができなくなっても、物品が容器本体から連続して飛び出すことのない物品取出容器を提供することを目的とする。
【課題を解決するための手段】
【０００６】
上記課題を解決するために、請求項１記載の発明は下記の構成を有する。すなわち、
容器本体内に物品を収容し、該容器本体に設けられた蓋の開き動作によって物品を１個づつ取り出せるようにした物品取出容器であって、
前記容器本体に設けた物品取出口を開閉自在に覆う取出口蓋と、
前記容器本体内を仕切って一方に物品を収容する物品収容部を形成し、他方に物品を取り出す物品取出部を形成する仕切部材と、
前記物品収容部内の底部に設けられ、収容した物品を一列に配列させるガイド部と当該ガイド部の先端において前記物品取出部と連通する連通口を有した物品整列手段と、
前記連通口を介して物品取出部に移動した物品の後退を防止し、当該物品を一時的に留
まらせる物品停止部と、
前記物品を挟持するための一対の挟持部材を有し、前記取出口蓋の開閉動作に伴って前記物品停止部に位置している物品を挟持して取り出す物品取出手段と
前記物品停止部に位置する物品の姿勢を保持しつつ前記物品取出手段の動作に伴って回動する規制部材とを備えたことを特徴とする物品取出容器。
【０００７】
また、請求項２記載の発明は下記の構成を備えている。すなわち、
前記連通口の直前位置における前記ガイド部上方には、当該ガイド部の上面を塞ぐとともに物品収容部内の他の物品を受け止め、ガイド部に対する物品の侵入を防止する受け板が設けられていることを特徴とする請求項１記載の物品取出容器。
【０００８】
また、請求項３記載の発明は下記の構成を備えている。すなわち、
前記物品停止部は、連通口を通過した物品を下方に降下させた位置に設けられており、前記物品が降下する段差部によって物品の後退を防止するようになっていることを特徴とする請求項１又は２記載の物品取出容器。
【０００９】
また、請求項４記載の発明は下記の構成を備えている。すなわち、
前記規制部材は、弾性を有する一対の保持部材を端部に有し、当該保持部材によって物品の姿勢を保持するようになっていることを特徴とする請求項１乃至３のいずれか１項に記載の物品取出容器。
【発明の効果】
【００１０】
以上説明した本願発明に係る物品取出容器は以下に述べる効果を有する。
すなわち、本願発明に係る物品取出容器では、収容した物品はガイド溝から連通口を出た時点で段差部によって進行方向を変えられて物品停止部に移動するようになっている。また、物品停止部６６に供給された物品は、規制板に形成された物品との隙間の小さい保持部材間を通過することになるため、物品収容部内の物品Ｘが一度に大量に流出することはない。したがって、収容した物品を一つづつ取り出すことができる容器であって、当該容器を構成する各部材が摩擦等により設定通りに機能しない場合であっても、誤って物品収容部内の物品Ｘを一度に大量に流出させることがないという効果を有している。
【００１１】
また、本願発明に係る物品取出容器では、物品取出部に物品を配列したガイド部の上方に物品Ｘの侵入を防止する受け板を設けたので、収容されている他の物品によって物品取出部に供給される物品の移動が阻害されず円滑に物品を供給することができるという効果を有している。
【００１２】
また、本願発明に係る物品取出容器では、前記物品停止部が連通口を通過した物品を下方に降下させた位置に設けられており、前記物品が降下する段差部によって物品の後退を防止するようになっている。したがって、物品取出手段の狭持部材が物品を狭持しようとした際にも物品は後退せず、確実に物品を狭持させることができるという効果を有している。
【００１３】
また、本願発明に係る物品取出容器では、弾性を有する一対の保持部材を端部に有した規制部材によって物品の姿勢を保持しつつ、物品取出手段に対して物品を受け渡すようになっている。したがって、当該規制部材の作用によって確実に物品取出手段によって物品を狭持させるとともに、前述したように誤って物品を流出させることがないという効果を有している。
【発明を実施するための最良の形態】
【００１４】
以下、本発明に係る実施の形態を図面に基づいて説明する。図１〜図３は本発明の物品
取出容器の第１実施の形態を示すもので、図１は物品取出容器の取出口蓋を開いた状態の斜視図、図２は充填口蓋を開いた状態の斜視図、図３は、第１実施の形態の物品取出容器の分解斜視図である。
【００１５】
図１および図２に示すように、本実施形態に係る物品取出容器１は、合成樹脂の成形によって形成された容器本体３と、この容器本体３に開閉自在に取付けられた充填口蓋８および取出口蓋９を備えている。
【００１６】
この容器本体３は、対称形状をなす第１容器部品３ａと第２容器部品３ｂを互いに対向させて接合することによって内部に菓子等の錠剤状の物品を収容する収容空間を形成した容器として構成されている。本発明に係る物品取出容器１は、特に外形が円形をなし、肉厚が直径寸法に比べて薄く形成された形状の物品の取出しに適したものである。
【００１７】
当該各容器部品３ａ、３ｂは、横長形状に形成された側壁４ａ、４ｂを備えている。この側壁４ａ、４ｂの上部中央は山形状の突出部１３ａ、１３ｂとなっており、この突出部１３ａ、１３ｂの両側には両端に向けて下り傾斜のテーパ端縁５ａ、５ｂおよびテーパ端縁６ａ、６ｂを設けた形状となっている。側壁４ａ、４ｂの前記突出部１３ａ、１３ｂおよびテーパ端縁５ａ、５ｂ、６ａ、６ｂを除く周縁には所定高さの周壁２ａ、２ｂが形成されている。当該構成の第１容器部品３ａの周壁２ａと第２容器部品３ｂの周壁２ｂが接合し、側壁４ａ、４ｂおよび周壁２ａ、２ｂによって囲まれる所定の空間を有した薄型の容器本体３が形成されるようになっている。
【００１８】
なお、第１容器部品３ａと第２容器部品３ｂは互いに対称な形状となっているので、以下、特に断りのない限り、符号に「ａ」を付したものを第１容器部品３ａに設けられた構成要素、「ｂ」を付したものを第２容器部品３ｂに設けられた構成要素として説明する。また、説明上使用する上下左右の用語は、特に説明がない限り図面における上下左右と同一の方向を表すものとして使用する。
【００１９】
図３に示すように、第１、第２の容器部品３ａ、３ｂの内面には、前方（図３の左方）に向かって下り傾斜した仕切板３５ａ、３５ｂが形成されている。当該仕切板３５ａ、３５ｂは、互いに当接することで容器本体３内に形成されている空間を二分し、物品Ｘを収容する空間（物品収容部４８）と取出を行う空間を形成する仕切部材となっている。仕切板３５ａ、３５ｂの下部には、物品収容部４８と物品取出部となる物品Ｘの取出が行われる空間とを連通させる連通口４６（４６ａ、４６ｂ）が形成されている。当該連通口４６は、収容する錠剤形状の物品Ｘの直径よりも若干大く形成された高さと、当該物品Ｘの厚みよりも若干大きく形成された幅を有している。当該連通口４６を介して、物品収容部４８から取出を行う空間に対して物品Ｘが移動（供給）するようになっている。
連通口４６の上部であって物品Ｘを収容する空間側には、前記仕切板３５ａ、３５ｂと一体的に、受け板３６ａ、３６ｂが形成されている。当該受け板３６ａ、３６ｂは、前記物品Ｘの直径よりもやや長い長さの庇状の部材であり、物品Ｘを一列に配列させるガイド部としてのガイド溝４０の先端部分である連通口４６の直前に供給された物品Ｘの上部を覆うようになっている。
【００２０】
物品収容部４８の底部であって、連通口４６から後方（後述するガイド面４１ａ、４１ｂ側）に亘る部分にはガイド溝４０が形成されている。当該ガイド溝４０は、上端を物品収容部４８内に向かって開口した細長い溝状の部位であり、物品Ｘの直径と略同程度の深さと物品Ｘの厚みよりも若干大きく形成された幅の断面を有し、当該ガイド溝４０内に物品Ｘを一列分収容して物品Ｘを回動させながら連通口４６に導くように形成されている。ガイド溝４０の上方には、各容器部品３ａ、３ｂの内壁からガイド溝４０の上部縁向けて下り傾斜をなすテーパガイド部３７ａ、３７ｂが設けられている。このテーパガイド部３７ａ、３７ｂは、連通口４６側のガイド溝４０の上部を覆う受け板３６ａ、３６ｂと連続
して設けられている。
【００２１】
さらに、物品収容部４８内には周壁２ａ、２ｂの右側の内側面から底面にかけてなだらかな曲面を有する側部ガイド面４１ａ、４１ｂと、当該側部ガイド面４１ａ、４１ｂの端部に続く底部ガイド面４２ａ、４２ｂと、この底部ガイド面４２ａ、４２ｂから若干の下り傾斜をなす傾斜ガイド面４３ａ、４３ｂとが形成されている。当該各ガイド面は、前記ガイド溝４０の底面を構成する部位となっている。また、ガイド溝４０先端部の傾斜ガイド面４３ａ、４３ｂの上方に前記受け板３６ａ、３６ｂが形成された状態となっており、受け板３６ａ、３６ｂによてガイド溝４０の上面を塞ぎ、傾斜ガイド面４３ａ、４３ｂに載った物品Ｘが上方から押されることなく後方のみから押圧されるようになっている。また、前記傾斜ガイド面４３ａ、４３ｂの先端が前記連通口４６（仕切板３５ａ、３５ｂ下部の開口）となっており、当該連通口４６の先が前記物品Ｘを停止させ物品Ｘの取出が行われる物品停止部６６となっている。
【００２２】
傾斜ガイド面４３ａ、４３ｂの先端縁には、当該先端縁から下降した段差部４４ａ、４４ｂが設けられ、当該段差部４４ａ、４４ｂの下縁から短い直線部４５ａ、４５ｂを介して上方に向かう弧状ガイド面４９ａ、４９ｂが形成されている。前記段差部４４ａ、４４ｂおよび直線部４５ａ、４５ｂを形成した部位は物品Ｘが１個だけ留まれるように形成された部分であり、物品Ｘの取出しが行われる物品停止部６６となっている。また、当該物品停止部６６では、詳細には後述する規制板２３によって物品Ｘが保持されるようになっている。
【００２３】
上記テーパガイド部３７ａ、３７ｂ、ガイド溝４０、側部ガイド面４１ａ、４１ｂ、底部ガイド面４２ａ、４２ｂ、傾斜ガイド面４３ａ、４３ｂおよび受け板３６ａ、３６ｂにより物品整列手段Ａ(図４参照)を構成している。
【００２４】
上記周壁２ａ、２ｂの端面は互いに当接する部位となっており、この端面には複数の嵌合凹部７ｂ、複数の嵌合凸部７ａがそれぞれ形成され、互いに嵌合することにより各容器部品３ａ、３ｂを結合させて容器本体３を構成するようになっている。
【００２５】
上述のようにして構成された容器本体３の上部には、図１および図２に示すように、物品Ｘを内部に充填するための物品充填口１２、および物品Ｘを取り出すための物品取出口１７が形成されている。この物品充填口１２を開閉するための充填口蓋８および物品取出口１７を開閉する取出口蓋９が、各々の軸１０および軸１４を突出部１３ａ、１３ｂの下部に形成された軸孔１１ａ、１１ｂおよび１５ａ、１５ｂに挿入することにより容器本体３に回動自在に軸支されている。充填口蓋８および取出口蓋９の裏面には、各々係止片６０および６１が形成され、容器本体３の上端部に設けられた係止片６２および６３と各々弾性係止するようになっている(図４参照)。突出部１３ａ、１３ｂの上部には孔３０ａ、３０ｂが形成され、この孔３０ａ、３０ｂにＵ字状の押え部材３１が軸３２を介して回動自在に取付けられている。
【００２６】
取出口蓋９の裏面には、物品Ｘを狭持して取り出すための物品取出手段２０が設けられている(図１、図３参照)。物品取出手段２０は、本実施の形態では合成樹脂による成形によって動物の形態に形成された形象部材２１を有し、この形象部材２１に一対の狭持片２２が設けられた構成となっている。この狭持片２２は狭持すべき物品Ｘの厚みより若干狭い間隔Ｔ１で配置されており、この狭持片２２の持つ弾性によって物品Ｘを適度な力で挟み狭持するようになっている。
【００２７】
取出口蓋９を回動自在に支持する軸１４には、さらに規制板２３が回動自在に取付けられている。規制板２３は、一端縁に前記軸１４に支持されるためのボス２５を有し、先端
に物品Ｘの厚みより若干狭い間隔Ｔ２の切欠きをスリット状に形成した一対の弾性係合片２７を備えた板状体として構成されている。弾性係合片２７は前記間隔Ｔ２の切欠部の側部に切溝２８を形成し切欠部の内側面に素材の撓みによって幅方向の弾性を持たせたものであり、物品停止部６６に位置する物品Ｘを保持する保持部材となっている。
【００２８】
前記のように、規制板２３の根元には軸１４に挿入される軸孔２４付きのボス２５が形成され、このボス２５が取出口蓋９の根元に形成された切欠部２６および物品取出手段２０の根元に形成された切欠部２９に収まっている。当該構成により、取出口蓋９の軸部付近と規制板２３のボス２５が摺接し、取出口蓋９の回動に連動して規制板２３が回動するようになっている。なお、規制板２３は、第１容器部品３ａと第２容器部品３ｂの内側面に突出するように設けられた凸部材６５と当接するようになっており、当該凸部材６５および前記仕切板３５ａ、３５ｂと当接する範囲内で回動可能となっている。
【００２９】
図４は、第１実施の形態の物品取出容器において充填口蓋８および取出口蓋９を閉じた状態の側面側からの断面図、図５は同物品取出容器において取出口蓋９を開いた状態の断面図、図６は図４のＢ−Ｂ線断面図である。
【００３０】
図４に示すように、容器本体３内には、仕切板３５ａ、３５ｂの後方(図４の右方)に物品Ｘを収容する物品収容部４８が形成されている。この物品収容部４８の上部が上記した物品充填口１２である。物品収容部４８の両内壁面にテーパガイド部３７ａ、３７ｂが形成され、このテーパガイド部３７ａと３７ｂの間にガイド溝４０が形成され、このガイド溝４０の出口部分に連通口４６が形成されている。
【００３１】
図４に示す状態は、物品収容部４８に錠剤形状の物品Ｘが収容され、充填口蓋８および取出口蓋９を閉じた状態を表している。物品収容部４８に物品Ｘを充填すると、図４に示すように、物品Ｘはテーパガイド部３７ａ、３７ｂによってガイド溝４０内に誘い込まれて落ち込み、底部ガイド面４２ａ、４２ｂに沿って一列に整列する。ガイド溝４０に入りきらない物品は、その上に重なって収容される。このとき、傾斜ガイド面４３ａ、４３ｂに位置する物品Ｘに対しては、受け板３６ａ、３６ｂによってその上の物品Ｘは受けられるため、下部にある数個の物品（最適な例としては図示するように物品Ｘ２の全てと次の物品Ｘ３の半分程度）の上には積層されず、連通口４６を通って前方へ動きやすい状態になっている。
【００３２】
また、図４に示す状態は、すでにの物品取出手段２０の狭持片２２が、物品停止部６６において物品Ｘを狭持し、規制板２３が仕切板３５ａ、３５ｂに当接した状態を表している。
【００３３】
図４の状態から取出口蓋９を開くと、それに追従して規制板２３が仕切板３５ａ、３５ｂから少し離れ、凸部材６５に当接するまで(図５参照)回動する。これにより、規制板２３によって塞がれていた連通口４６が開き、傾斜ガイド面４３ａ、４３ｂ上に位置している物品Ｘが、先端の段差部４４ａ、４４ｂから直線部４５ａ、４５ｂに亘る位置（物品停止部６６）に落ちる。
【００３４】
狭持片２２が物品Ｘを狭持していない場合には、取出口蓋９を完全に閉じると、物品取出手段２０が規制板２３を押圧することによって規制板２３が回転して仕切板３５ａ、３５ｂに当接する。そして、物品停止部６６にある物品Ｘ１は規制板２３に設けられている弾性係合片２７によって構成される間隔Ｔ２の保持部材を摩擦に抗して通り抜け、物品取出手段２０の一対の狭持片２２によって狭持された状態となる。すなわち、弾性係合片２７は、物品Ｘが狭持片２２によって狭持されるまで物品Ｘの姿勢を保持し、狭持されると同時に物品Ｘを受け渡して保持を解除するようになっている。
【００３５】
上記機能を奏するため、規制板２３は仕切板３５ａ、３５ｂと当接している状態では連通口４６を塞ぎ、物品Ｘが物品停止部６６に供給されている状態では保持部材間を物品Ｘを通過させつつ仕切板３５ａ、３５ｂと当接する方向に回動できるような形状および大きさに形成されている。具体的には、物品Ｘ１が物品停止部６６に供給されている状態において、弾性係合片２７の間隔Ｔ２の切欠部分と弧状ガイド面４９ａ、４９ｂ若しくは直線部４５ａ、４５ｂまでの距離Ｌが物品Ｘの直径と略等しいか若干大きくなっていることが必要である。
【００３６】
物品取出手段２０の狭持片２２が物品Ｘを狭持した状態で、取出口蓋９を持ち上げると、物品Ｘ１は狭持片２２で狭持されて、図５に示すように外部に取り出される。このとき、押え部材３１は実線の位置に回動して充填口蓋８を開かないように押えておくことができる。
取り出された物品Ｘ１の次の物品Ｘ２は、物品停止部６６に供給され規制板２３の弾性係合片２７の間隔Ｔ２の切欠部分に一部が嵌まって摩擦により係止された状態となりそれ以上の進行が防止される。
【００３７】
物品Ｘ１を狭持片２２から取り外した後、取出口蓋９を閉じると、規制板２３は物品取出手段２０で押され仕切板３５ａ、３５ｂ方向に回動する。この際、物品Ｘ２は段差部４４ａ、４４ｂに当接して後方に動けない状態であるので、規制板２３の弾性係合片２７の間を摩擦力に抗してくぐりぬけ、規制板２３が仕切板３５ａ、３５ｂに当接するまで回動する。そして、図４に示した物品Ｘ１と同じように物品Ｘ２が狭持片２２に狭持される。以下、同様の動作で各物品を取り出すことができる。
【００３８】
なお、上記の通り、規制板２３の弾性係合片２７は物品を適度な摩擦力によつて狭持できる状態が最適であるが、物品自体の寸法のばらつきもあり狭持できない場合がある。しかし、規制板２３が物品を完全に狭持できない場合であっても物品を適正な姿勢に保つことはできるので、支障なく物品を狭持片２２に受け渡すことが出来るようになっている。
【００３９】
また、本願発明に係る物品取出容器は物品収容部４８に収容した物品Ｘを取出口蓋９の開閉に伴って一つづつ取り出せるように構成したものである。そして、当該機能を達成するための手段の一つとして、前記規制板２３によって物品停止部６６に供給される物品Ｘの移動を取出口蓋９の開閉に応じて規制し、物品取出手段２０の狭持片２２にって物品Ｘを挟持させるようになっている。ここで、物品Ｘは規制板２３に形成した弾性係合片２７による切欠部分を通過して外部に取り出されるようになっている。当該切欠部分は、弾性によって物品Ｘを保持できる程度の寸法関係に形成されているため、通常は当該切欠部に保持されず素通りすることはできないようになっている。しかし、摩耗や製造時の寸法値の変動、物品自体の大きさの違いにより当該切欠部が物品Ｘを保持する機能を果たし得ず、物品Ｘが切欠部を素通りしてしまう場合がある。
【００４０】
しかし、上記の場合であっても、切欠部（保持部材）の寸法が物品Ｘの外形よりも極端に大きくなることはなく、物品Ｘはガイド溝４０から連通口４６出た時点で段差部４４ａ、４４ｂによって直線部４５ａ、４５ｂ側に進行方向を変えられて物品停止部６６に移動した後に保持部材間を通過するようになっている。したがって、規制板２３が設定通りに物品Ｘを保持できない状況になったとしても、物品収容部４８に収容した物品Ｘは前記のように移動方向を変えられながら、かつ、物品Ｘとの隙間が極めて少ない保持部材間を通過することになるため、誤って容器を逆さににした場合であっても物品収容部４８内の物品Ｘが一度に大量に流出することはないようになっている。
【００４１】
例えば、子供は菓子類をポケットに入れたまま遊ぶことがあるが、取出口蓋９が空いた状態で激しく動きまわるような場合であっても、本発明に係る物品取出容器は収容した物
品が一度に大量に飛び出すことが無いので菓子を無駄にすることがないという作用を有している。
【００４２】
図７〜図１０は本発明の物品取出容器の第２の実施の形態を示しており、図７は第１の実施の形態における図３に対応した分解斜視図、図８は充填口蓋８および取出口蓋９を閉じた状態の物品取出容器の図４に対応した断面図、図９は取出口蓋９を開いた状態の物品取出容器の図５に対応した断面図、図１０は図８のＣ−Ｃ線断面図である。また、第２の実施の形態に係る物品取出容器は、主な構成において前述した第１の実施の形態に係る物品取出容器と同じとなっている。したがって、以下の説明においては、第１の実施の形態の同一の構成については同一の符号を付してその説明を省略し、相違する部分を中心に説明する。
【００４３】
図７に示すように、第２の実施の形態では、物品整列手段を一対の物品整列部材５０ａ、５０ｂで構成したことを特徴とする。この物品整列部材５０ａ、５０ｂは、板状体５１ａ、５１ｂの前端面（図７の左端面）に下り傾斜の仕切板５２ａ、５２ｂが形成され、上端面に内側下り傾斜のテーパ面５９ａ、５９ｂが形成された部材である。また、物品整列部材５０ａ、５０ｂには、この仕切板５２ａ、５２ｂの途中から後方に延びるガイド板５３ａ、５３ｂが設けられ、このガイド板５３ａ、５３ｂの後端部に切欠部５４ａ、５４ｂが形成されている。ガイド板５３ａ、５３ｂより下の部分の仕切板５２ａ、５２ｂには前記連通口４６と同一の開口が形成されている。このガイド板５３ａ、５３ｂの下部分は物品が一列に並んだ状態で配列されるようになっている前記ガイド溝４０に相当する部位であり、後端部の切欠部５４ａ、５４ｂによって形成される開口を介して、物品収容部４８から物品Ｘが供給されるようになっている。
【００４４】
また、板状体５１ａ、５１ｂには外面に複数の孔５５ａ、５５ｂが形成され、この孔５５ａ、５５ｂと容器部品３ａ、３ｂに設けられた突起５６ａ、５６ｂを嵌合させて組み付けられる(図１０参照)。
【００４５】
図８〜図１０に示すように、物品収容部４８に収容された物品Ｘはガイド板５３ａ、５３ｂ上で整列され（ここでは複数層に重なっていてもよい）、ガイド板５３ａ、５３ｂの後端の切欠部５４ａ、５４ｂから下方のガイド溝５８ａ、５８ｂに落下し、ここで一列に整列され、以下、第１実施の形態と同様に最先端の物品Ｘ１は、傾斜ガイド面４１ａ、４１ｂの先端の段差部４４ａ、４４ｂから物品停止部６６（直線部４５ａ、４５ｂ）に落ち、第１の実施の形態と同様に取出口蓋９の開閉によって物品Ｘが取り出せるようになっている。
【図面の簡単な説明】
【００４６】
【図１】本発明に係る物品取出容器の取出口蓋を開いた状態の斜視図である。
【図２】充填口蓋を開いた状態の斜視図である。
【図３】本発明に係る物品取出容器の第１実施の形態を示す分解斜視図である。
【図４】充填口蓋および取出口蓋を閉じた状態の第１実施の形態に係る物品取出容器の断面図である。
【図５】取出口蓋を開いた状態の第１実施の形態に係る物品取出容器の断面図である。
【図６】図４のＢ−Ｂ線断面図である。
【図７】本発明に係る物品取出容器の第１実施の形態を示す分解斜視図である。
【図８】充填口蓋および取出口蓋を閉じた状態の第２実施の形態に係る物品取出容器の断面図である。
【図９】取出口蓋を開いた状態の第２実施の形態に係る物品取出容器の断面図である。
【図１０】図８のＣ−Ｃ線断面図である。
【符号の説明】
【００４７】
１  物品取出容器
２ａ、２ｂ  周壁
３ａ  第１容器部品
３ｂ  第２容器部品
３  容器本体
４ａ、４ｂ  側壁
５ａ、５ｂ  テーパ端縁
６ａ、６ｂ  テーパ端縁
７ａ  嵌合凸部
７ｂ  嵌合凹部
８  充填口蓋
９  取出口蓋
１０  軸
１１ａ、１１ｂ  軸孔
１２  物品充填口
１３ａ、１３ｂ  突出部
１４  軸
１５ａ、１５ｂ  軸孔
１７  物品取出口
２０  物品取出手段
２１  形象部材
２２  狭持片
２３  規制板
２４  軸孔
２５  ボス
２６  切欠部
２７  弾性係合片
２８  切溝
２９  切欠部
３０ａ、３０ｂ  孔
３１  押え部材
３２  軸
３５ａ、３５ｂ  仕切板
３６ａ、３６ｂ  受け板
３７ａ、３７ｂ  テーパガイド部
４０  ガイド溝
４１ａ、４１ｂ  側部ガイド面
４２ａ、４２ｂ  底部ガイド面
４３ａ、４３ｂ  傾斜ガイド面
４４ａ、４４ｂ  段差部
４５ａ、４５ｂ  直線部
４６  連通口
４８  物品収容部
４９ａ、４９ｂ  弧状ガイド面
５０ａ、５０ｂ  物品整列部材
５１ａ、５１ｂ  板状体
５２ａ、５２ｂ  仕切板
５３ａ、５３ｂ  ガイド板
５４ａ、５４ｂ  切欠部
５５ａ、５５ｂ  孔
５６ａ、５６ｂ  突起
５８ａ、５８ｂ  ガイド溝
５９ａ、５９ｂ  テーパ面
６０  係止片
６１  係止片
６２    係止片
６３  係止片
６５  凸部材
６６  物品停止部
Ａ  物品整列手段
Ｘ  物品
【図１】
2005035603.tif 000003
【図２】
2005035603.tif 000004
【図３】
2005035603.tif 000005
【図４】
2005035603.tif 000006
【図５】
2005035603.tif 000007
【図６】
2005035603.tif 000008
【図７】
2005035603.tif 000009
【図８】
2005035603.tif 000010
【図９】
2005035603.tif 000011
【図１０】
2005035603.tif 000012